(57)【要約】 【課題】回動内弁のシールが磨耗しても締付け手段の調整により、流体の漏れを簡単に防止することができること。【解決手段】弁本体の外筒とポンプヘッドとを締付け手段を介して結合するプランジャー型ポンプのシール構造であり、ポンプヘッドに形成した吸引孔及び吐出孔に対してそれぞれ連通可能な開口を有する筒状内弁６を弁本体１に回動自在に設け、この内弁又はポンプヘッドの軸方向側の壁面に対して内弁の開口と連通すると共に、吸引孔及び吐出孔に選択的に連通可能な通孔を有するシールを固定的に取付け、このシールは締付け手段を締付けると、ポンプヘッドの内壁面を介して内弁を往復動するプランジャーの軸方向に押圧される。【選択図】  図２
2005214030.tif 000002
【特許請求の範囲】
【請求項１】
弁本体の外筒とポンプヘッドとを締付け手段を介して取外し可能に結合するプランジャー型ポンプのシール構造であり、前記ポンプヘッドに形成した吸引孔及び吐出孔に対してそれぞれ連通可能な開口を有する筒状内弁６を弁本体１に回動自在に設け、この内弁又は前記ポンプヘッドの軸方向側の壁面に対して、内弁の前記開口と連通すると共に、前記吸引孔及び吐出孔に選択的に連通可能な通孔を有するシールを固定的に取付け、このシールは、前記締付け手段を締付けると、前記ポンプヘッド又は内弁の壁面を介して内弁を往復動するプランジャーの軸方向に押圧されることを特徴とするプランジャー型ポンプのシール構造。
【請求項２】
請求項１に於いて、弁本体１は、外筒２と、外筒の左右のフランジ機能を有する垂直支持部２２、２２にそれぞれ締付け手段５を介して一体的に結合される左右のポンプヘッド３、４とから成り、シールは、周縁部が円形に形成され、また中心部に内弁６の案内突起（６５、６５Ａ）が嵌挿する中心孔８１を有し、さらに、前記中心孔８１を同心円とする１又は2個の弧状通孔と複数個の取付け部を有していることを特徴とするプランジャー型ポンプのシール構造。
【請求項３】
請求項１または請求項２に於いて、シールは前後１対のポンプヘッドの各内壁面と内弁の軸方向外壁部（６６、６６Ａ）との間にそれぞれ介在していることを特徴とするプランジャー型ポンプのシール構造。
【請求項４】
請求項１または請求項２に於いて、シールは、内弁の軸方向外壁部の外壁面の形状に対応してラッパ状に形成されていることを特徴とするプランジャー型ポンプのシール構造。
【請求項５】
請求項１または請求項２に於いて、シールは軸方向外壁部の外壁面の形状に対応して円盤状に形成されていることを特徴とするプランジャー型ポンプのシール構造。
【請求項６】
弁本体の外筒とポンプヘッドとを締付け手段を介して取外し可能に結合するプランジャー型ポンプのシール構造であり、前記ポンプヘッドに形成した長孔状の吸引孔及び吐出孔に対してそれぞれ連通可能な長孔状の開口を有する筒状内弁を弁本体に回動自在に設け、この内弁又は前記ポンプヘッドの軸方向側の壁面に対して、内弁の前記開口と連通すると共に、周方向に前記吸引孔及び吐出孔に選択的に連通可能な長孔状の通孔を有するシールを固定的に取付け、このシールは、前記締付け手段を締付けると、前記ポンプヘッド又は内弁の壁面を介して内弁を往復動するプランジャーの軸方向に押圧されることを特徴とするプランジャー型ポンプのシール構造。
【請求項７】
請求項６に於いて、弁本体１は、外筒２と、外筒の左右のフランジ機能を有する垂直支持部２２、２２にそれぞれ複数個の締付け螺子５を介して一体的に結合される左右のポンプヘッド３、４とから成り、シールは、周縁部が円形に形成され、また中心部に内弁６の案内突起（６５、６５Ａ）が嵌挿する中心孔８１を有し、さらに、前記中心孔８１を同心円とする１又は2個の弧状通孔と複数個の取付け部を有していることを特徴とするプランジャー型ポンプのシール構造。
【発明の詳細な説明】
【技術分野】
【０００１】
本発明は、プランジャー型ポンプのシール構造に関する。
【背景技術】
【０００２】
従来技術の一例として特開２００１−２５４６８６公報を記載する。この公報に記載のポンプは、接合端面にシール嵌合用凹所を有する取付けブロックと、この取付けブロックの前記結合端面に接合するポンプヘッドとを備えている。そして、取付けブロックの前記嵌合用凹所の内壁面は奥方向に次第に絞られているので、プランジャー用シールを凹所に嵌め込み、かつ、調整螺子を締めていくと、プランジャーと該にプランジャー挿通したプランジャーシールとの摩擦力を調整できる。
【０００３】
上記のシール構造は、往復動する作動杆に対して有効であるが、シールの外周形状及び嵌合用凹所の内壁面をそれぞれ精度良く加工する必要性がある（特に、凹所の内径に適合させるためにシールの大きさ、厚さを正確に形成する必要がある）。また、特許文献２及び特許文献３に記載するようなプランジャーを案内する回動内弁を備えたポンプに適合しない。その理由は、流体用の所定の容積を有する内弁は、弁箱に回動自在に設けられていると共に、弁箱の開口（吸引孔及び吐出孔）を開閉する通孔を有しているからである。
【０００４】
プランジャー型ポンプのシール構造に於いて、特許文献１記載のように凹所にシールを嵌め込むのが一般的である。例えば内弁の周壁面に周溝を形成し、該周溝にＯリングを嵌め込む。しかし、凹所にシールを嵌め込む構造は、概して弁箱の内周壁でシールを抑え付けて押圧力を調整することができないから、シールが磨耗した場合にはリーク（漏れ）が発生する恐れがある。そのためシールの大きさ、厚さ、周溝の深さ、内壁面等の精度が要求される。なお、プランジャー型ポンプの基本的な構成は、特許文献２、３に記載されている。
【特許文献１】特開２００１−２５４６８６公報
【特許文献２】特許第３３１４１８６号
【特許文献３】特許第３３３４１１０号
【発明の開示】
【発明が解決しようとする課題】
【０００５】
本発明の第１の目的は、シール構造をシンプルにすると共に、取付けが簡単であることである。第２の目的は、回動内弁のシールが磨耗しても締付け螺子の締付け調整により、流体の漏れを簡単に防止することができることである。第３の目的は、シール、シールの装着部分を精度よく形成・加工する必要がないことである（内弁又はポンプヘッドの装着面が粗雑であっても良い）。第４の目的は、弁本体や内弁の組立・分解が簡単であることである。
【課題を解決するための手段】
【０００６】
本発明のプランジャー型ポンプのシール構造は、弁本体の外筒とポンプヘッドとを締付け手段を介して取外し可能に結合するプランジャー型ポンプのシール構造であり、前記ポンプヘッドに形成した吸引孔及び吐出孔に対してそれぞれ連通可能な開口を有する筒状内弁６を弁本体１に回動自在に設け、この内弁又は前記ポンプヘッドの軸方向側の壁面に対して、内弁の前記開口と連通すると共に、前記吸引孔及び吐出孔に選択的に連通可能な通孔を有するシールを固定的に取付け、このシールは、前記締付け手段を締付けると、前記ポンプヘッド又は内弁の壁面を介して内弁を往復動するプランジャーの軸方向に押圧されることを特徴とする。
【０００７】
また、本発明のプランジャー型ポンプのシール構造は、弁本体の外筒とポンプヘッドとを締付け手段を介して取外し可能に結合するプランジャー型ポンプのシール構造であり、前記ポンプヘッドに形成した長孔状の吸引孔及び吐出孔に対してそれぞれ連通可能な長孔状の開口を有する筒状内弁を弁本体に回動自在に設け、この内弁又は前記ポンプヘッドの軸方向側の壁面に対して、内弁の前記開口と連通すると共に、周方向に前記吸引孔及び吐出孔に選択的に連通可能な長孔状の通孔を有するシールを固定的に取付け、このシールは、前記締付け手段を締付けると、前記ポンプヘッド又は内弁の壁面を介して内弁を往復動するプランジャーの軸方向に押圧されることを特徴とする。
【０００８】
上記構成に於いて、弁本体１は、外筒２と、外筒の左右のフランジ機能を有する垂直支持部２２、２２にそれぞれ締付け手段５を介して一体的に結合される左右のポンプヘッド３、４とから成り、シールは、周縁部が円形に形成され、また中心部に内弁６の案内突起（６５、６５Ａ）が嵌挿する中心孔８１を有し、さらに、前記中心孔８１を同心円とする１又は2個の弧状通孔と複数個の取付け部を有していることを特徴とする。
【発明の効果】
【０００９】
（１）シンプルをラッパ状又は円盤状に形成したので、シール構造がシンプルであると共に、取付けが簡単である。なお、シール構造は、請求項２に記載されている通りである。
（２）回動内弁のシールが磨耗しても締付け螺子の締付け調整により、流体の漏れを簡単に防止することができる。
（３）シールの形状や肉厚を精度よく形成或いは内筒又はポンプヘッドのシール用装着部分を精度良く加工をする必要はない。
（４）締付け手段の締付け調整により、回動内弁のシールとポンプヘッドの内壁面との摩擦力を最適な値に調整することができる。
（５）弁本体や内弁の組立・分解が簡単であるから、清掃、洗浄等に便利である。
【発明を実施するための最良の形態】
【００１０】
以下、図１乃至図１４に示す本発明を実施するための最良の形態（第１実施例）により説明する。
【００１１】
Ｘはプランジャー型ポンプ、１は弁本体、２は弁本体の外筒、３は弁本体の一方のポンプヘッド、４は弁本体の他方のポンプヘッド、５は弁本体の外筒とポンプヘッドとを結合する締付け手段（例えば複数本の締付け螺子）、６は弁本体に回動自在に設けられた内弁、７は内弁に往復動自在に設けられたプランジャー、８は内弁６の軸方向側の外壁面に固定的に取付けられた左右１対のシール、９は一方のポンプヘッド３に取付けられた流体用第１吸引管、１０は他方のポンプヘッド４に取付けられた流体用第２吸引管、１１は一方のポンプヘッド３に取付けられた流体用第１吐出管、１２は他方のポンプヘッド４に取付けられた流体用第２吐出管である。以下、これらの基本的な構成部材を中心に説明する。なお、符号１５は一方のポンプヘッド３の中央部に複数本の固着具１６を介して固定された断面ハット型のエンドキャップ、一方、１７は他方のポンプヘッド４の中央部に固着具１８を介して固定された軸受け機能を有する支持板である。  
【００１２】
（１）弁本体１
図１及び図２を参照にして弁本体（弁箱）１を説明する。本実施例の弁本体１は、両端部に取付けフランジ部を有する外筒２と、この外筒２のフランジ部に複数個の締付け螺子５を介してそれぞれ固定される左右一対のポンプヘッド３、４とから成る。
【００１３】
図２を基準にすると、弁本体１は、中央部の外筒２と、一方（左側）のポンプヘッド３と、他方（右側）のポンプヘッド４の三つの部品から成り、左右のポンプヘッド３、４は外筒２に対してフランジ部、複数個の締付け螺子５を介して着脱自在に結合（螺着）する。また本発明の左右のポンプヘッド３、４の少なくとも一方は、吸引孔と吐出孔とを有する。
【００１４】
（２）外筒２
図３及び図４を参照にして外筒２を説明する。２１は取付けベース部で、この取付けベース部２１の両端部寄りの上面には、左右一対のフランジ機能を有する垂直支持部２２が連設している。２３は左右の垂直支持部２２、２２の対向内壁面に連設する外筒部分である。外筒部分２３は垂直支持部２２、２２に対して直交している。外筒部分２３の内径は、内弁６の外径を考慮して適宜に設定されている。左右の垂直支持部２２、２２は、それぞれ外筒部分２３の水平案内孔２４と連通する同一径の円形開口２５、２５を有する。
２６、２６は左右の垂直支持部２２、２２の前記開口２５、２５の周縁部にそれぞれ形成された環状の外（横）向き凹所である。凹所２６、２６の内径は開口２５、２５よりも大きく、また各凹所２６、２６の内寸（奥行き）は、同一又は異なっている。本実施例では、右側凹所２６の内寸が、後述する環状空間４７を設定するために若干大きい。
【００１５】
２７、２７は左右の垂直支持部２２、２２のフランジ部分に周方向に所要間隔を有して形成された複数個（例えば８個）の貫通孔である。これらの貫通孔２７、２７は、前記案内孔２４或いは円形開口２５の同心円上に形成されている。
【００１６】
（３）一方のポンプヘッド３
図２、図５、図６を参照にしてポンプヘッド３を説明する。ポンプヘッド３は断面Ｃ型形状に形成され、かつ、中心部にヘッド嵌合孔３１が形成されている。ヘッド嵌合孔３１は、内弁６の先端部の短筒状案内突起に嵌合する。
【００１７】
本実施例のヘッド嵌合孔３１は、回動する内弁６の先端部を支持することから、軸受け機能を発揮する。またヘッド嵌合孔３１の内径と内弁６の先端部を案内するエンドキャップ１５のそれとは同一である。エンドキャップ１５は、固着具１６を介してポンプヘッド３の外壁面３ａの垂直部分に固定される。
【００１８】
３２はポンプヘッド３の傾斜部分の上方中央部に形成された長孔状（例えば弧状）の第１吸引孔である。図６はポンプヘッド３の内壁面３ｂ側から見た説明図である。この図６のヘッド嵌合孔３１の中心Ｏを基準にすると、第１吸引孔３２の円弧方向の長さは略９０度（半円弧状）である。
【００１９】
一方、３３はポンプヘッド３の傾斜部分の下中央部に形成された長孔状（例えば半円弧状など）の第１吐出孔である。この第１吐出孔３３は、前記嵌合孔３１の中心Ｏを基準にすると、第１吸引孔３２と上下対称（線対称）に形成されている。
【００２０】
３４はポンプヘッド３の環状取付け端部に所要間隔を有して形成された複数個（例えば８個）の締付け螺子５用メネジで、これらのメネジ３４は外筒２の締付け螺子５用貫通孔２７と符合する。３５はポンプヘッド３の内壁面３ｂにカップ（御椀）状に形成されたシール用嵌合凹所で、この嵌合凹所３５は、本実施例ではラッパ状シール８の外壁面８ａにフイット（適合）するように環状取付け端部の端面（前記内壁面）３ｂから嵌合孔３１に向かって次第に収束している。したがって、ポンプヘッド３の嵌合凹所３５は、一方のシール８の形状に対応して任意に設計変更することができる。
【００２１】
（４）他方のポンプヘッド４
他方のポンプヘッド４の構成は、一方のポンプヘッド３の構成と略同一である。図２及び図７を参照にしてポンプヘッド４を説明する。前述したように、１０は流体用の第２吸引管である。この第２吸引管１０は第１吸引管９と同一又は異なる供給源の流体を、シール８を介して内弁６に案内する。
【００２２】
図示しない供給源が同一の場合に於いて、第１吸引管９と第２吸引管１０は、一つの供給ライン上（供給案内導管）で分岐している。１２は流体用の第２吐出管で、この第２吐出管１２は、例えば流体用の第１吐出管１１と一つの吐出ライン上で合流する。
【００２３】
４ａはポンプヘッド４の外壁面、４ｂはその内壁面、４１はヘッド嵌合孔、４２は長孔状の第２吸引孔、４３は第２吸引孔に対して対称的な位置にある長孔状の第２吐出孔である。４４はポンプヘッド４の環状取付け端部に所要間隔を有して形成された複数個（例えば８個）の締付け螺子５用メネジで、これらのメネジ４４は外筒２の貫通孔２７と符合する。
【００２４】
４５はポンプヘッド４の内壁面４ｂにカップ（御椀）状に形成されたシール用嵌合凹所で、この嵌合凹所４５は、他方のラッパ状シール８の外壁面８ａにフイットするように環状取付け端部付近からヘッド嵌合孔４１に向かって次第に収束している。
【００２５】
ところで、ポンプヘッド４は、環状取付け端部の端面４ｂに外筒２の環状凹所２６と同一の内径を有する環状凹所４６が形成されている点で、一方のポンプヘッド３の構成と若干異なっている。図２で示すように、ポンプヘッド４の環状凹所４６の内寸（奥行き）と外筒２の環状凹所２６の内寸（奥行き）を足した環状空間４７内にプランジャー７の結合フランジ部が収容される。
【００２６】
（５）締付け手段
図２で示すように、締付け螺子５は、外筒２の左右の貫通孔２７にそれぞれ嵌挿され、かつ、左右のポンプヘッド３、４のメネジ３４にそれぞれ螺合する。
【００２７】
締付け螺子５は、複数個に分割された横長の弁本体（弁箱）１を結合する手段であると共に、ポンプヘッド３、４と内弁６の軸方向側の外壁面との間にそれぞれ介在するシール８、８を押し付ける手段である。したがって、締付け螺子５の締付け調整により、回動内弁６のシール８、８とポンプヘッド３、４の内壁面との摩擦力を最適な値に調整することができる。また、回動内弁６の単数又は複数のシールが磨耗しても、締付け螺子の締付け調整５により、流体の漏れを簡単に防止することができる。
【００２８】
なお、締付け手段としては、蝶ねじを有するリング状クランプ（公知）でも良い。この場合には、右のポンプヘッド３、４は、直接又は間接的にクランプを介して締付けられる。締付け手段５が、固着具であるか、緊縮型クランプであるか否かは、発明の本質的事項ではない。
【００２９】
（６）内弁とプランジャー
筒状内弁６は弁本体１に図示しない駆動源（手動、駆動モータなど）の駆動力により回動することができるように設けられている。また、内弁６に組み込まれたプランジャー７は、弁本体１に前記駆動源と同一又は異なる第２駆動源の駆動力に軸方向に往復動するように設けられている。駆動源の回転運動を伝達する複数の歯車並びに回転運動を往復運動に変換する機構（クランク、ビニオンとラックなど）は、設計上任意に採用される。また、内弁６をスムースに回動させるための軸受け手段も設計上任意に採用される。
【００３０】
プラグに相当する内弁６は、本実施例では、一方のポンプヘッド３に形成した長孔状の第１吸引孔３２及び第１吐出孔３３に対してそれぞれ連通可能な長孔状の第１開口６１を有する一方のシリンダー状第１弁６ａと、この第１弁６ａの内端部に周設された本体フランジ部６２に係合状態に接合する内端フランジ部６３を有する他方の作動杆状第２弁６ｂとから成る。
【００３１】
本実施例では、前記第２弁６ｂも第１弁６ａと同様に、他方のポンプヘッド４に形成した長孔状の第２吸引孔４２及び第２吐出孔４３に対してそれぞれ連通可能な長孔状の第２開口６４を有する。このように本実施例の内弁６は、同一形状の連通可能な単数の長孔状の開口６１．６４をそれぞれ有する分割・結合型の第１弁６ａ、第２弁６ｂを備えている。
【００３２】
ところで、第１弁６ａと第２弁６ｂの結合態様に関し、プランジャー型ポンプＸの用途如何によって作動杆状結合弁６ｂの第２開口６４を前記第１開口６１と同一水平線上に位置付け結合するか（開口６１、６４が共に上方）、又は第２開口６４を第１開口６１と水平線上に位置付け結合するか（開口６１が上方であるのに対して、第２開口６４が下方）を任意に決定する。
【００３３】
本実施例では、プランジヤー７のロッド７１の先端部寄りの部位に固定されたピストン７２を基準にして左右に対設する複数本の吸引菅９、１０並びに吐出菅１１、１２に流体を連続的に流す（吸引、吐出）ために後者を選択している（図２参照）。
【００３４】
そこで、まず、図８乃至図１０を参照にして第１弁６ａを説明する。前述したように、符号６１は第１開口、６２は係合フランジ部である。しかして、６５はポンプヘッド３の嵌合孔３１に嵌合支持される短筒状案内突起で、この案内突起６５は内弁６の先端軸部に相当する。案内突起６５はプランジャー７のロッド７１を案内する機能を有する。
【００３５】
６６ａは案内突起６５の後端部に傘状に連設する軸方向外壁部で、この軸方向外壁部６６ａの適宜箇所に前記第１開口６１が弧状に形成されている。６６ｂは両端部開口の半径方向外壁部（シリンダー形成部分）で、この半径方向外壁部６６ｂの内端部に前記係合フランジ部６２が外方向に周設されている。係合フランジ部６２の外径寸法は、外筒２の環状凹所２７の内径寸法を考慮して設計されている。
【００３６】
ところで、本実施例では、前記傘状の軸方向外壁部６６ａにシール８を取付けるために、固着具６７用の取付け孔（メネジ）６８が複数個設けられている。取付け孔６８は係合フランジ部６２の周方向に８個所定間隔を有して形成されている。取付け孔６８は、シール８の取付け如何によっては、複数個の係合突起又は係合溝となる。
【００３７】
次に、図１１及び図１２を参照にして第２弁６ｂを説明する。前述したように、符号６３は係合フランジ部６２に面接触する内端フランジ部、６４は第１開口６１と同一形状の第２開口である。ここで、第２弁６ｂは第１弁６ａと同一なので、同様の符号を付して簡単に説明する。
【００３８】
しかして、６５Ａは内弁６の後端部に相当する案内突起で、この案内突起６５Ａは先端部の案内突起６５によりも長い。案内突起６５Ａもプランジャー７のロッド７１を案内する機能を有すると共に、突出端部には図示しない動力伝達機構の歯車が適宜に固定される。６６Ａは傘状の軸方向外壁部で、この外壁部６６Ａの外壁面に他方のシール８を取付けるために、固着具６７Ａ用の取付け孔（メネジ）６８Ａが複数個設けられている。
【００３９】
第１弁６ａと第２弁６ｂとが係合フランジ部６２、内端フランジ部６３及び複数個の内弁用固着具６９を介して一体的に係合すると、内弁６の内部は所定の容積となる。内弁６の内部には、例えばトマトケチップ、マヨネーズ、アイスクリーム、スープ類などの流動体が流れ込む。
【００４０】
（７）シール
シールは、周縁部が円形に形成され、また中心部に内弁６の案内突起（６５、６５Ａ）が嵌挿する中心孔８１を有し、さらに、前記中心孔８１を同心円とする１又は2個の弧状通孔と複数個の取付け部を有している。
【００４１】
本実施例では、一方のシール８と他方のシール８は同一構造なので、ここでは一方のシール８のみ説明し、他方のシール８については同一の符号を付して重複説明を省略する。本実施例のシール８は、内弁６の軸方向外壁部６６ａ（６６Ａ）の外壁面に内弁６の案内突起６５（６５Ａ）を嵌挿させた状態で固定的に取付けられる。
【００４２】
図２で示すように、シール８は弁本体１のポンプヘッド３（４）の御椀状内壁面３ｂ（４ｂ）と内弁６の傘状軸方向外壁部６６ａ（６６Ａ）との間に介在し、内弁６と共に回動する。したがって、シール８はポンプヘッド３（４）の内壁面３ｂ（４ｂ）に対して摺接する。
【００４３】
図１３及び図１４で示すように、キャップ状または傘状のシール８の中心部には、内弁６の案内突起６５（６５Ａ）に嵌合する中心孔８１が形成されている。また、中心孔を有するシール８は、内弁６の傘状軸方向外壁部６６ａ（６６Ａ）の外壁面の形状に対応してラッパ状に形成されている。またシール８の適宜箇所には、内弁６の開口６１（６４）と連通すると共に、弁本体１の吸引孔及び吐出孔に選択的に連通可能な長孔状の通孔（例えば半円弧状）８２が形成されている。シール８の周縁部は円形である。
【００４４】
シール８の形態や通孔８２は、発明の目的を達成する限りにおいて任意に設計変更可能である。前述したように、本実施例のシール８は、締付け手段５を直接又は間接的に締付けると、ポンプヘッド３（４）の内壁面３ｂ（４ｂ）を介して内弁６を往復動するプランジャー７の軸方向（内弁の外壁面）に押圧される。なお、シール８には内弁６に取付けるための固着具６７（６７Ａ）用の貫通小孔８３が周方向に複数個形成されている。貫通小孔８３は取付け部の一例である。
【実施例】
【００４５】
この実施例の欄では、第２実施例、第３実施例、第4実施例を説明する。なお、これらの実施例の説明に当たっては、重複説明を回避するために第1実施例の符号を便宜上援用する。
【００４６】
すなわち、図１５及び図１６で示す第２実施例のプランジャー型ポンプＸ１のシール８Ａは、第１実施例のシール８は、内弁６の傘状軸方向外壁部６６ａ、６６Ａの傘状外壁面の形状に対応してラッパ状に形成されているのに対して円盤状に形成されていることである。
【００４７】
したがって、内弁６Ａの前後の軸方向外壁部６６ａ、６６Ａは垂直である。それ故に、左右のポンプヘッドにそれぞれ形成した長孔状の吸引孔３２、４２、吐出孔３３、４３、シール８Ａの通孔８２及び内弁６の第１開口６１、第２開口６４は、プランジャー７の軸方向を指向している。このように構成しても、前記第１実施例と同一の効果を得ることができる。
【００４８】
次に、第３実施例、第４実施例を説明する。これらの実施例はシール８、８Ａの設計上の変形例なので、シールの取付け図面に関しては図２及び図１５をそれぞれ援用する。
【００４９】
図１７及び図１８に示したシール８Ｃは、第１実施例のシール８の変形例である。このシール８Ｃは、ポンプヘッド３、４の軸方向側の壁面（内壁面）に対して複数個の取付け部８３を介してそれぞれ固定的に取付けられる。
【００５０】
ポンプヘッド３、４は、前述したようにそれぞれ半円弧状の吸引孔３２、４２と吐出孔３３、４３を有することから、ラッパ状のシール８Ｃも、線対称に１対の半円弧状通孔８２、８２を有する。また前記取付け部８３は貫通小孔でも良いが、周方向に形成された複数個の係合突起にしている。
【００５１】
したがって、ポンプヘッド３、４の壁面（内壁面）には、シール８Ｃの係合突起８３と係合する複数個の係合穴（取付け孔）６８が形成されている。
【００５２】
図１９及び図２０に示したシール８Ｄは、第２実施例のシール８Ａの変形例である。このシール８Ｄも前記シール８Ｃと同様にポンプヘッド３、４の軸方向側の壁面（内壁面）に対して複数個の取付け部８３を介してそれぞれ固定的に取付けられる。したがって、同一の部分に同一の符号を付して重複する説明を割愛する。
【００５３】
なお、上記の取付け部８３は、オスとメスの関係にあるから、ポンプヘッド３、４の壁面に係合突起を形成した場合には、貫通小孔となる。
【産業上の利用可能性】
【００５４】
本発明は、一定の流量及び圧力で、流体を連続又は間欠的に吐出しうる流体用のプランジャー型ポンプのシール構造である。したがって、トマトケチップ、マヨネーズ、具入りスープ類などの流体を供給源から充填対象物（容器）へと圧送するのに適合する。なお、用途は一例であり、流体であれば、ペンキなどの食品以外にも利用可能である。また、気体（炭酸ガスなど）、液体（飲料水など）にも利用可能である。
【図面の簡単な説明】
【００５５】
図１乃至図１４は本発明の第１実施例を示す各説明図。図１５乃至図１６は第１実施例の一部を設計変更した各説明図（第２実施例）。図１７及び図１８は第３実施例（特にシールの変形例）。図１９及び図２０は第４実施例（特にシールの変形例）。
【図１】ポンプの外観上の斜視図。
【図２】ポンプの内部構造を示す概略断面説明図。
【図３】弁本体の外筒の概略断面説明図。
【図４】外筒の側面の説明図。
【図５】一方のポンプヘッドの概略断面説明図。
【図６】一方のポンプヘッドの内壁面から見た説明図。
【図７】他方のポンプヘッドの概略断面説明図。
【図８】内弁（第１弁）の斜視図。
【図９】第１弁の軸方向外壁面から見た説明図。
【図１０】第１弁の概略断面説明図。
【図１１】内弁（第２弁）の内壁面から見た説明図。
【図１２】第２弁の概略断面説明図。
【図１３】シールの斜視図。
【図１４】反対側から見たシールの斜視図。
【図１５】図２と同様に概略断面説明図。
【図１６】第２実施例のシールの斜視図。
【図１７】第３実施例のシールの正面図。
【図１８】図１７の１８−１８線断面図。
【図１９】第４実施例のシールの正面図。
【図２０】図１９の２０−２０線断面図。
【符号の説明】
【００５６】
Ｘ…プランジャー型ポンプ、１…弁本体、２…弁本体の外筒、２１…取付けベース部、２２…垂直支持部、２３…外筒部分、２６…環状凹所、２７…貫通孔、３…一方ポンプヘッド、３ａ…内壁面、３ｂ…外壁面、３１…嵌合孔、３２…第１吸引孔、３３…第１吐出孔（送出し孔）、３４…メネジ、３５…凹所、４…他方のポンプヘッド、４ａ…内壁面、４ｂ…外壁面、４１…嵌合孔、４２…第２吸引孔、４３…第２吐出孔（送出し孔）、４４…メネジ、４５…嵌合凹所、４６…環状凹所、４７…環状空間、５…締付け手段、６…内弁、６ａ…第１弁、６ｂ…第２弁、６１…第１開口、６２…結合フランジ部、６３…内端フランジ部、６４…第２開口、６５、６５Ａ…案内突起、６６ａ、６６Ａ…軸方向外壁部、６６ｂ…半径方向外壁面、６７、６７Ａ…固着具、６８、６８Ａ…取付け孔、６９…内弁用固着具、７…プランジャー、７１…ロッド、７２…ピストン、８、８Ａ、８Ｃ、８Ｄ…シール、８ａ…外壁面、８１…中心孔、８２…通孔、８３…貫通孔、９…流体用の第１吸引管、１０…流体用の第２吸引管、１１…流体用の第１吐出管、１２…流体用の第２吐出管、１５…エンドキャップ、１６、６９…固着具、１７…支持板。
【図１】
2005214030.tif 000003
【図２】
2005214030.tif 000004
【図３】
2005214030.tif 000005
【図４】
2005214030.tif 000006
【図５】
2005214030.tif 000007
【図６】
2005214030.tif 000008
【図７】
2005214030.tif 000009
【図８】
2005214030.tif 000010
【図９】
2005214030.tif 000011
【図１０】
2005214030.tif 000012
【図１１】
2005214030.tif 000013
【図１２】
2005214030.tif 000014
【図１３】
2005214030.tif 000015
【図１４】
2005214030.tif 000016
【図１５】
2005214030.tif 000017
【図１６】
2005214030.tif 000018
【図１７】
2005214030.tif 000019
【図１８】
2005214030.tif 000020
【図１９】
2005214030.tif 000021
【図２０】
2005214030.tif 000022